(57)【要約】      （修正有）【課題】製造が容易であり、自然な外観を有し、かつ、使用者の簡単な動作で展開してカード等を飛び出させることができるので、相手に強い印象を与えるカード等取出具を提供する。【解決手段】カード等収納面１１Ａ、縦方向に連接されたカード等保持面１３Ａ、その反対側に連接された折返面、縦方向に直交する横方向において、カード等収納面から延設された拡大収納面１２Ａ、カード等保持面から延設された拡大保持面１４Ａとを有し、カード等収納面の縦または横の長さを１としたとき、各面の縦または横の長さが各々０．９〜１．１の範囲であり、カード等を取出す際に、カード等収納面を含むカード等取出面が、縦方向および横方向に展開する。【選択図】図１３
0003184533.tif 000002
【実用新案登録請求の範囲】
【請求項１】
カード等収納面と、
前記カード等収納面の縦方向に連接されたカード等保持面と、
前記カード等収納面において、前記カード等保持面と前記縦方向における反対側に連接された折返面と、
前記縦方向に直交する横方向において、前記カード等収納面から延設された拡大収納面と、
前記横方向において、前記カード等保持面から、前記拡大収納面と同一方向に延設された拡大保持面とを有し、
前記カード等収納面の前記縦方向の長さを１としたとき、前記縦方向において、前記カード保持面、前記折り返面、前記拡大収納面および前記拡大保持面の各面の長さが各々０．９〜１．１の範囲にあり、かつ、
前記カード等収納面の前記横方向の長さを１としたとき、前記横方向において、前記カード保持面、前記折り返面、前記拡大収納面および前記拡大保持面の各面の長さが各々０．９〜１．１の範囲にあり、
カード等を取出す際に、カード等収納面を含むカード等取出面が、前記の縦方向および横方向に展開することを特徴とする、カード等取出具。
【請求項２】
前記カード等収納面から突出し、前記カード等収納面の端部に沿って折り返すことにより、前記カード等収納面に収納される突出面をさらに有することを特徴とする、請求項１に記載のカード等取出具。
【請求項３】
前記折返面から、前記横方向において、前記拡大保持面と対向する方向に延設された拡大折返面と、
前記カード等収納面から、前記横方向において、前記拡大保持面と対向する方向に延設された対向保持面とをさらに有することを特徴とする、請求項１または請求項２に記載のカード等取出具。
【請求項４】
前記カード等収納面、前記カード等保持面、前記折返面、前記拡大収納面および前記拡大保持面が、全て実質的に同一の平面形状を有することを特徴とする、請求項１〜請求項３のいずれか１項に記載のカード等取出具。
【請求項５】
前記カード等収納面、前記カード等保持面、前記拡大収納面、前記拡大保持面および任意で前記カード等収納面から突出する突出面から構成されるカード等取出面に、視覚により感知できる伝達情報が付与されており、
前記カード等収納面および前記折返面を含む、前記カード等取出面の対向面に、前記のカード取出面と異なる伝達情報（白紙を含む）が付与されていることを特徴とする、請求項１〜請求項４のいずれか１項に記載のカード等取出具。
【考案の詳細な説明】
【技術分野】
【０００１】  本考案は、使用者が、相手方にカード等を挟持していないかのように誤認させることが容易であり、かつ、使用者の簡単な動作で展開してカード等を飛び出させることができるカード等取出具に関する。本項案に係るカード取出具は、短時間で相手方に強い印象を与えることができるため、名刺入れ、手品具およびコミュニケーションツールとして好適なものである。
【背景技術】
【０００２】  従来、ビジネスや自己紹介の場において、名刺交換を行う際には、蓋付きの箱や、縦または横方向に開く名刺入れから名刺を取り出すのが通常である。その際、相手方に強い印象を与えるために、名刺に工夫を凝らすことは通常行われている（例えば、特許文献１）。
【先行技術文献】
【特許文献】
【０００３】
【特許文献１】特開２００６−１１６９３４号公報
【考案の概要】
【考案が解決しようとする課題】
【０００４】  しかしながら、名刺に工夫を凝らす場合、２つ折りにしたり、フルカラー印刷を施すなどを行う必要があり、コストが高くなるという問題がある。さらに、名刺は一般に定型のカードであって、印象を強くしようとして特異な形状や材質からなる名刺を選択した場合、相手方における管理に適さず、却って、悪い心象を与える場合すらある。【０００５】  そこで、本発明者らは、名刺に工夫を凝らすのではなく、例え一般的な名刺であっても、名刺入れからの名刺を取出す際の動作によって相手方に強く自分を印象付けることで、上記の課題を解決できることに気付き、実願２０１３−０００１７１に記載の「飛び出すカード」の考案を提案した。【０００６】  上記考案に係る「飛び出すカード」は、カード収納面から突出面が飛び出させることができ、一般的な名刺をそのまま渡す場合であっても、相手方に強い印象を与えることができ、かつ、カード取出具の使いまわしができるので、コストもかからないという利点がある。【０００７】  一方、本発明者は、上記考案に詳細に開示されたカード取出具はカード保持面を含む部材と折返面を含む部材を貼り合わせて作り、かつ突出面を設けているために、製造効率の点で改善の余地があることに気付いた。さらに、上記考案に詳細に開示されたカード取出具は、カード収納面と折返面の縦方向の長さがカード保持面に対して短いので、カード収納面から突出面が飛び出させる動作を行う前、相手方が上記考案に係るカード取出具を見た段階で、不自然な印象を与え、カードが取出された瞬間の驚きや強い印象を減ずる場合があることに気付いた。【０００８】  本考案は、以上の点を考慮してなされたものであり、製造が容易であり、所定の動作を行う前段階で、自然な外観を有するので、相手方にカード等を挟持していないかのように錯覚させることが容易であり、かつ、使用者の簡単な動作で展開してカード等を飛び出させることができるので、相手方に強い印象を与えるカード等取出具を提案しようとするものである。
【課題を解決するための手段】
【０００９】  かかる課題を解決すべく、本考案のカード等取出具は、カード等収納面と、その縦方向に連接されたカード等保持面と、その反対側に連接された折返面と、前記縦方向に直交する横方向において、前記カード等収納面から延設された拡大収納面と、前記横方向において、前記カード等保持面から、前記拡大収納面と同一方向に延設された拡大保持面とを有し、前記カード等収納面の縦方向の長さを１としたときに、前記カード等保持面、前記折り返面、前記拡大収納面および前記拡大保持面の縦方向の長さが各々０．９〜１．１の範囲にあり、かつ、前記カード等収納面の横方向の長さを１としたときに、前記カード等保持面、前記折り返面、前記拡大収納面および前記拡大保持面の横方向の長さが各々０．９〜１．１の範囲にあるように形成した。【００１０】  上記の構成を有することで、本考案のカード等取出具は、カード等収納面を含むカード等取出面が、前記の縦方向および横方向に一瞬で展開することができる。さらに、器具を構成する各面の縦方向または横方向の長さがほぼ等しい範囲（１：０．９〜１．１）にあるので、展開動作を行う前の状態で、器具を構成する各面をごく自然な形状に折り畳んでおくことができる。また、器具を構成する各面（任意の突出面を除く）が全て同一平面上に配置されるので、一枚の平面状部材のみを用いて製作することができる。【００１１】  さらに、本考案のカード等取出具は、前記のカード等収納面に突出面を設け、前記の展開動作によって突出面を飛び出させる構造にすることができる。【００１２】  加えて、本考案のカード等取出具は、前記カード等収納面を含むカード等取出面を広めに形成することができるので、この部分にカード等とは別に、視覚的な伝達情報（例えば、絵や文字など）を付与することができる。特に、前記カード等保持面の裏面および前記折返面を含むカード等取出面の対向面に、白紙または前記のカード取出面と異なる伝達情報を付与しておくことで、その対比によって、より強い印象を相手方に与える使用が可能である。なお、視覚的な伝達情報は、所望により選択できる。
【考案の効果】
【００１３】  本考案のカード等取出具は、製作が容易であり、外観が自然な折り畳み構造なので、使用者が動作前に本考案のカード等取出具を相手方に見せた際に、相手方に本考案のカード等取出具には、カード等が挟持されていないかのように錯覚させることが容易であり、かつ、使用者の簡単な動作で展開してカード等を飛び出させることができる。これにより、相手方に意外性や驚きによって強い印象を与えることができ、使いまわしができるので大きなコストが不要であり、かつ、カード等取出具の意匠性やデザインの自由度に優れるものである。
【図面の簡単な説明】
【００１４】
【図１】カード等取出面（カード等を入れておく側）から見たカード等取出具１００の構成を示す略線図。
【図２】突出面を含むカード等取出具１０１の構成を示す略線図。
【図３】拡大折返面および対向保持面を含むカード等取出具１０２の構成を示す略線図。
【図４】展開前のカード等取出具（共通）およびカードの構成を示す斜視図。（カードが見える状態）
【図５】展開前のカード等取出具（共通）およびカードの構成を示す斜視図。（カードが完全に隠れた状態）
【図６】カード等取出面に文字が書かれたカード等取出具１０２の構成を示す略線図。
【図７】折返面を含むカード等取出面の対向面に図６とは異なる文字が書かれたカード等取出具１０２の構成を示す略線図。（図６を裏側から見た図）
【図８】カード等取出具１０２の折り畳みの説明に供する略線図（第１段階）。
【図９】カード等取出具１０２の折り畳みの説明に供する略線図（第２段階）。
【図１０】カード等取出具１０２の折り畳みの説明に供する略線図（第３段階）。
【図１１】カード等取出しの説明に供する略線図（カード等取出面の対向面が展開した状態）。
【図１２】カード等取出しの説明に供する斜視図（カード等を取出す際の持ち方）。
【図１３】カード等取出しの説明に供する略線図（カード等取出面が展開した状態）。
【図１４】カード等収納面が正八角形のカード等取出具１０３の構成を示す略線図。
【考案を実施するための形態】
【００１５】  以下、図面について、本考案の実施形態を詳述する。
【００１６】［カード等取出具の構成］
図１〜図３は、本実施の形態を示すものであり、折り畳まれる前のカード等取出具の構成を示すものである。カード等取出具１００〜１０２は、突出面３を除き一枚の平面状部材から構成されている。また、各面の境界線となる折り目を点線で示している。また、以下、相手方から見てカード等が置かれる方向である、カード等取出面の側からみた場合には符号Ａを、カード等取出面１Ａの対向面からみた場合には符号Ｂを付して説明する。
【００１７】  図１に示すように、折り畳まれる前のカード等取出具１００は、カード等収納面１１、拡大収納面１２、カード等保持面１３、拡大保持面１４、折返面２１を有する。ここで、カード等収納面１１、拡大収納面１２、カード等保持面１３および拡大保持面１４は、全体としてカード等取出面１Ａを構成する。折返面２１Ａは、折り畳まれた状態で、本考案に係るカード等取出具の外面に表出し、カード等保持面（背面）１３Ｂはその対向方向の外面に表出する。
【００１８】  カード等収納面１１Ａは、収納するカード等より僅かに大きく形成されている。その大きさは、収納するカード等の大きさに応じて適宜選択可能であるが、収納するのが名刺サイズ（５５×９１ｍｍ）のカードであれば、縦：５６〜７０ｍｍ×横：９２〜１１０ｍｍの大きさが好ましい。
【００１９】  本考案に係るカード等取出具は、各面に目立つ余白がなく、自然な形状に折り畳まれていることを特徴とする。このため、カード等収納面１１Ａの縦方向または横方向の長さを各々１としたときに、図１に示すカード等保持面１３Ａ、折返面２１Ａ、拡大収納面１２Ａおよび拡大保持面１４Ａの縦方向または横方向の長さが各々０．９〜１．１の範囲にあるように形成されていることが必要であり、全ての面が、カード等収納面１１Ａと実質的に等しい縦方向の長さおよび横方向の長さを有するように形成されていることが特に好ましい。
【００２０】  カード等収納面１１Ａの縦方向または横方向の長さを各々１としたときに、前記の各面の縦方向または横方向の長さが各々１、１を超えると、折り畳んだ際にカード等取出具の縦方向または横方向に不自然な余白が生じて、外観上、本考案の技術的効果を達成できない。一方、カード等収納面１１Ａの縦方向または横方向の長さを各々１としたときに、前記の各面の縦方向または横方向の長さが各々０．９未満では、折り畳んだ際にカード等収納面を他の面が十分に覆い隠す事が出来ず、意外性や強い印象と言う本考案の技術的効果を達成できない。
【００２１】  好適には、本考案に係るカード等取出具は、各面の縦横の長さが実質的に同一の平面形状を有しており、特に、各面の縦横の長さが等しく、各面の形状は、見る方向によって形状の変わらない長方形、正方形、正八角形などが好ましい。なお、各面の配置及び構成が本願所定の関係を満たす限り、ハート型や星型等の面形状を選択することもでき、後述する展開動作の際に注意を払う限り、本考案の技術的効果を損なうことなく使用できる。
【００２２】  拡大収納面１２Ａは、横方向においてカード等収納面１１Ａから延設されており、カード等収納面１１Ａの横方向の長さを１としたとき、拡大収納面１２Ａの横方向の長さが０．９〜１．１の範囲にある。さらに、カード等収納面１１Ａの横方向と直交する縦方向の長さを１としたとき、拡大収納面１２Ａの縦方向の長さが０．９〜１．１の範囲にある。拡大収納面１２Ａが、カード等収納面１１Ａと縦横の長さが実質的に等しいことが特に好ましい。
【００２３】  カード等保持面１３Ａは、横方向と直交する縦方向において、カード等収納面１１Ａから延設されており、カード等収納面１１Ａの横方向の長さを１としたとき、カード等保持面１３Ａの横方向の長さが０．９〜１．１の範囲にある。さらに、カード等収納面１１Ａの縦方向の長さを１としたとき、カード等保持面１３Ａの縦方向の長さが０．９〜１．１の範囲にある。カード等保持面１３Ａが、カード等収納面１１Ａと縦横の長さが実質的に等しいことが特に好ましい。
【００２４】  拡大保持面１４Ａは、横方向においてカード等保持面１３Ａから延設されており、カード等収納面１１Ａの横方向の長さを１としたとき、拡大保持面１４Ａの横方向の長さが０．９〜１．１の範囲にある。さらに、カード等収納面１１Ａの縦方向の長さを１としたとき、拡大保持面１４Ａの縦方向の長さが０．９〜１．１の範囲にある。拡大保持面１４Ａが、カード等収納面１１Ａと縦横の長さが実質的に等しいことが特に好ましい。
【００２５】  折返面２１Ａは、横方向と直交する縦方向において、前記カード等保持面と前記縦方向にカード等収納面１１Ａから延設されており、カード等収納面１１Ａの横方向の長さを１としたとき、折返面２１Ａの横方向の長さが０．９〜１．１の範囲にある。さらに、カード等収納面１１Ａの縦方向の長さを１としたとき、折返面２１Ａの縦方向の長さが０．９〜１．１の範囲にある。折返面２１Ａが、カード等収納面１１Ａと縦横の長さが実質的に等しいことが特に好ましい。
【００２６】  図２に示すように、本考案に係るカード等取出具１０１は、任意で、カード等収納面１１Ａから縦方向の折返面側へ突出する突出面３Ａを有することができる。
【００２７】  この突出面３Ａは、突出していない収納部３１Ａの裏面がカード等収納面１１Ａに貼り合わされると共に、突出する突出折返部３２Ａはいずれにも貼り合わされていない。この結果、突出折返部３２Ａを折り畳むとカード等収納面１１Ａ内に収納される一方、広げるとカード等収納面１１Ａから突出するように形成されている。
【００２８】  図３に示すように、本考案に係るカード等取出具１０２は、任意で、拡大折返面２２Ａと対向保持面２３Ａとをさらに有することができる。ここで、カード等収納面（背面）１１Ｂ、折返面（背面）２１Ｂ、拡大折返面（背面）２２Ｂおよび対向保持面（背面）２３Ｂは、全体としてカード等取出面の対向面２Ｂを構成する。なお、図１のカード等取出具１００または図２のカード等取出具１０１においては、カード等収納面（背面）１１Ｂおよび折返面（背面）２１Ｂが、全体としてカード等取出面の対向面２Ｂを構成する。ここで、拡大折返面および対向保持面は、本考案に係るカード等取出具１０２が、各面に目立つ余白がなく、自然な形状に折り畳めるように、各面の縦横の長さがカード等収納面１１Ａと実質的に等しい平面形状であることが好ましい。
【００２９】  図４は、図１〜図３に係るカード等取出具にカード等を挟持して半ば折り畳んだ状態（＝展開前の状態）の斜視図であり、名刺などのカード９９はカード等収納面１１Ａと拡大収納面１２Ａの間隙に保持される。図４においては、保持状態を理解するためにカードが見えているが、実際の使用時には、図５に示す通り、カードはカード等収納面１１Ａと拡大収納面１２Ａの間隙に完全に隠され、使用者がカード等取出具を展開するまで、カードは見えない状態になる。
【００３０】  なお、図２に示した突出面３Ａを有するカード等取出具にあっては、名刺などのカード９９は、突出折返部３２Ａと収納部３１Ａの間に挟持され、さらに、カード等収納面１１Ａと拡大収納面１２Ａの間隙に保持された状態となる他は、図４または図５と同様の状態でカード等取出具の内側に保持される。
【００３１】  図６は図３に係るカード等取出具１０２において、前記のカード等取出面１Ａに「Ｈｅｌｌｏ！」の文字情報が付与された形態である。
【００３２】  図７は図３に係るカード等取出具１０２において、さらに、前記のカード等取出面１Ａの対向面２Ｂに「？？？」の文字情報が付与された形態である。ここで、図６および図７は同一物品の裏表の関係にあって良い。
【００３３】  カード等取出面１Ａおよびカード等取出面の対向面２Ｂは、十分な大きさを有するため、ここに視覚により伝達される情報、例えば、絵、文字、図形、形状、色彩またはこれらの組み合わせからなる情報を付与することで、前記の印象をさらに強めたり、何らかのメッセージを伝達することができる。
【００３４】  具体的には、本考案に係るカード等取出具は、対向面２Ｂを白紙にして、相手方に「カード等取出具には、カード等は挟持されておらず、何も書かれていない」と錯覚させた後に、カード等取出面１Ａからカードを取出し、かつ、カード等取出面１Ａの視覚的情報を伝達したり、任意で突出面３Ａを飛び出させて見せたりすることができる。その際の対比、意外性および驚きにより、カード等を取出した際の相手方への印象をより強めることができる。
【００３５】  同様に、本考案に係るカード等取出具は、前記の対向面２Ｂとカード等取出面１Ａに異なる視覚的情報を付与することで、相手方に、使用者が何もない所からカード等を取出したという驚きを与えると同時に、一瞬で視覚情報の書き換えが行われたように錯覚させることができ、その際の対比および驚きにより、カード等を取出した際の相手方への印象をより強めることができる。
【００３６】  例えば、図６と図７の視覚的情報を用いた場合、まず、前記の対向面２Ｂを、相手方の前で展開すると、相手方は「？？？」という文字情報と「カード等取出具には、カード等は挟持されておらず、何も書かれていない」と錯覚する。その後、後述の使用方法でカード等取出面１Ａを展開して見せることで、相手方は何もない所からカード等を取出したという驚きを与えると同時に、「？？？」という文字情報が瞬時に「Ｈｅｌｌｏ！」という文字情報に書換えられたように錯覚し、その対比、意外性と驚きにより、強い印象を受けるものである。
【００３７】［カード等取出具の作製］
次に、本考案に係るカード等取出具の作製について、図３に係るカード等取出具１０２を例に説明する。
【００３８】  まず、図８に示す通り、カード等収納面１１にカード９９を置き、拡大収納面１２及び拡大保持面１４を、カード等収納面１１Ａおよびカード等保持面１３Ａに重なるように折り畳む。図８で破線部分は、折り畳む前の拡大収納面１２及び拡大保持面１４の輪郭であり、矢印は拡大収納面１２及び拡大保持面１４を折り畳む方向を表す。収納されたカード９９の輪郭は、便宜上、破線で示す。
【００３９】  次に、図９に示す通り、図８の状態から、拡大保持面１４およびカード等保持面１３を、カード等収納面１１Ａおよび拡大収納面（背面）１２Ｂに重なるように折り畳む。図９で破線部分は、折り畳む前の拡大保持面１４およびカード等保持面１３の輪郭であり、矢印は拡大保持面１４およびカード等保持面１３を折り畳む方向を表す。収納されたカード９９の輪郭は、便宜上、破線で示す。
【００４０】  続いて、図１０に示す通り、図９の状態から、拡大折返面２２および対向保持面２３を折返面（背面）２１Ｂおよびカード等収納面（背面）１１Ｂに重なるように折り畳む。図１０で破線部分は、折り畳む前の拡大折返面２２および対向保持面２３の輪郭であり、矢印は拡大折返面２２および対向保持面２３を折り畳む方向を表す。収納されたカード９９の輪郭は、便宜上、破線で示す。
【００４１】  最後に、図１０の状態から、折返面２１Ａをカード等保持面（背面）１３Ｂの対向方向に折り畳むことで、本考案に係るカード等取出具は完成する。
【００４２】  図１に係るカード等取出具１００は、拡大折返面２２および対向保持面２３の折返しが不要な他は、前記同様に作製できる。
【００４３】  図２に係るカード等取出具１０１のように、本考案に係るカード等取出具が突出面３を有する場合には、最初に名刺などのカード９９を、突出折返部３２Ａと収納部３１Ａの間に挟持する他は、前記同様に作製できる。
【００４４】  本考案に係るカード等取出具は、上記の通り、平面状部材を用いて、容易に作製することができ、カード等取出具を構成する平面状部材も特に制限されるものではない。例えば、本考案に係るカード等取出具は、紙、プラスティック、金属箔、皮革、布、木皮などを自由に選択して用いることができる。さらに、前記のカード等取出面１Ａや突出面３が滑らかに展開するように、各面の境界線に浅く切り込みを入れたり、弾性体や形状記憶性の部材を用いたりしても良い。さらに、本考案に係るカード等取出具は、デザインの自由度に優れるため、本考案の目的に反しない限り、透明部材の使用や、所望の色彩、模様等を付すこともできる。
【００４５】  本考案に係るカード等取出具は、前記のカード等取出面１Ａや突出面３が使用者の動作により展開する構造を有するので、カード等収納面１１およびカード等保持面１３を含む折り畳み構造をクリップや任意の保持部材（ストッパー）で予め押さえておくことで、不測の展開やカード等の落下を防止することもできる。しかしながら、これらのクリップやストッパーが目立つ態様であると、本考案に係るカード等取出具に何らかの仕掛け（ギミック）が施されていることが相手方に認識されやすくなるため、このような部材は設けないか、透明部材を用いるなど、可能な限り、目立たない態様とすることが好ましい。
【００４６】  ［カード等取出具の使用方法］
次に、本考案に係るカード等取出具１０２の使用方法を、図１１〜１３により、説明する。なお、カード等取出具１００、カード等取出具１０１であっても、基本的な使用方法は共通である。
【００４７】  図１１に示す通り、カード等保持面１３等が折り返された状態で、カード等収納面１１Ａと拡大収納面１２Ａの間に挟持されたカード９９を与えたい相手方（以下、「カード等の受取人」という）に、前記のカード等取出面１Ａの対向面２Ｂを開いて見せる。
【００４８】  図１１においては、構造を理解しやすくするために、対向面２Ｂには、図７同様に「？？？」の文字情報が付与されているが、使い方によっては白紙等であっても良い。また、この状態ではカード９９はカード等の受取人には全く視認できないので、図１１において、便宜上、カード９９の輪郭を点線で示す。
【００４９】  このとき、本考案に係るカード等取出具の使用者は、カード等の受取人に対して、口頭等で何らかのメッセージを伝えることが好ましい。例えば、「ここに、真っ白な紙があります。真っ白ですよね。」や「何も入っていませんよ」などと言った言葉をかけたり、対向面２Ｂの視覚的情報に対するコメントを述べても良い。
【００５０】  次に、対向面２Ｂを折返面２１Ａが最上面に来るように折り畳む。より具体的には、前記の拡大折返面（背面）２２Ｂおよび前記の対向保持面（背面）２３Ｂを、折返面（背面）２１Ｂおよびカード等収納面（背面）１１Ｂに重なるように折り畳み、続いて、折返面２１Ａをカード等保持面（背面）１３Ｂの対向方向に折り畳む。この際、使用者は、「このように折り畳みます」のように説明したり、相手方に何らかの予告あるいは意識をミスリードするようなコメントを述べても良い。
【００５１】  本考案に係るカード等取出具が折り畳まれた状態で側面から斜視した様子を、図１２に示す。点線で示されたカード９９は、カード等収納面１１Ａと拡大収納面１２Ａの間に挟持されている。また、任意で、本考案に係るカード等取出具が突出面３を有する場合には、カードは、当該突出面３に挟持されていてもよい。図１２において、任意の構成である突出面３は、便宜のため、破線で示している。
【００５２】  図１２に示す通り、カード９９は、カード等収納面１１Ａと拡大収納面１２Ａの間に挟持されており、カード等の受取人はカード９９を全く視認できない。この状態で、使用者は、矢印で示した指置位置ＦＺを指でつまむ。この指置位置ＦＺは、カード収納面１１Ａと折返面２１Ａを自然に挟み込むことができ、かつ、カード等収納面１１、拡大収納面１２、カード保持面１３、拡大保持面１４および任意で有する突出面３が重なっていない状態にある。
【００５３】  使用者が、図１２の矢印で示した指置位置ＦＺにおいて、カード収納面１１Ａと折返面２１Ａを指で挟み込んだ状態でカード等取出具を振るうと、指置位置ＦＺを起点に、カード等取出面１Ａが縦方向および横方向に展開すると共に、カード等収納面１１Ａ上にカード９９が現れる。また、任意で、突出面３を有する構造であれば、カード等取出面１Ａから突出面３が突き出た状態になる。この際、指で挟まれた折返面２１を含む対向面２Ｂはカード等取出面１Ａの背面となってしまうので、カード等の受取人はその存在を認識できなくなる。
【００５４】  図１３は、上記の動作によって、本考案に係るカード等取出具が縦方向および横方向に展開してカードが現れた様子を示す図である。構造の理解のため、カード等取出面１Ａには、図６同様に「Ｈｅｌｌｏ！」の文字情報が付与されているが、使い方によっては白紙等であっても良い。また、任意の構成である突出面３Ａが展開した様子を併せて示すため、突出面３Ａを、便宜のため、破線で示している。
【００５５】  このように、本考案に係るカード等取出具を使用することにより、カード等の受取人は最初に見せられた対向面２Ｂに代わり、カード等取出面１Ａとカード９９および任意の突出面３Ａを視認することになる。
【００５６】  従って、カード等の受取人は何もない所から突然現れたカード等に大きな驚きと意外性を感じ、使用者に対して強い印象を抱くことになる。さらに、本考案に係るカード等取出具は、使いまわしができるので大きなコストが不要であり、かつ、カード等取出具の意匠性やデザインの自由度に優れるものである。
【００５７】  さらに、本考案に係るカード等取出具は、カード等の収納面１１Ａを含むカード等取出面１Ａに、カード以外の物品を挟持しておき、これらを何もない所から取出して見せるような使用方法が可能である。具体的には、本物品を使用する季節や目的に応じて、その他の薄手の物品（手品具等や金券など）、香料等をカードと共に、または独立に同カード等取出面１Ａに挟持しておくことが可能である。
【００５８】  上記のカード等取出面１Ａは、使用者の動作により瞬間的に展開されるため、カードサイズに折り畳めるくす玉等の手品具、紙吹言、無形の香料等を同取出面１Ａに挟持することで、カードと同時に華やかなくす玉を取り出す、良い香りが花弁や紙吹雪と共に飛散するなどの演出が可能になる。
【００５９】  上記のカード等取出面１Ａに薄手の物品は、秘匿性の点から厚さ５ｍｍ以下に折り畳め、かつ、カード等取出具に完全に覆われる大きさのものが好ましいが、その種類、色、物品の展開の形態、物品の飛散の形態等は特に制限されることなく、目的に応じて自由に選択することができる。また、香料も、秘匿性の点から、本発明に係る物品に浸透しにくく、カード等取出面１Ａが展開されるまで香気が大量に拡散しないものが好ましい。
【００６０】［カード等取出具のその他の形態］
本考案に係るカード等取出具は、各面の縦横の長さが実質的に同一の平面形状を有していることが好ましく、例えば、図１４に示すような、八角形の平面を用いても、同様に製作することができ、かつ、所定の技術的効果を奏することができる。
【００６１】  上述した実施の形態においては、主に名刺等のカードを取り出す際にカード等取出具１００〜１０２を使用する場合について述べた。しかしながら、本考案はこれに限らず、カード等取出具１００〜１０２を単体で、例えば、手品具やコミュニケーションツールとして使用することも可能である。
【００６２】  本考案に係るカード等取出具は、製造が容易でデザインの自由度が高いことを特徴の一つとする。このため、カード等取出面１Ａ、対向面２Ｂに表示する視覚情報を、絵柄の着脱や用紙の入れ替えにより簡単に交換する部材をさらに有しても良い。また、任意の構成である突出面３を着脱式にしたり、カード等取出面１Ａの展開を妨げない形態であれば、複数の突出面を設けたりすることも可能である。さらに、飛び出す絵本やくす玉のような、展開により立体的に立ち上がる部材をカード等取出面に設けても良い。
【産業上の利用可能性】
【００６３】  本考案は、例えば、手品具、名刺交換の際に使用するカード取出具、名刺入れなどとして利用することができる。
【符号の説明】
【００６４】１００・・・・・カード等収納具、
１０１・・・・・突出面を含むカード等収納具、
１０２・・・・・拡大折返面および対向保持面を含むカード等取出具、
１０１〜１０２・・・・・上記カード等取出具（１００，１０１，１０２）の共通形態
１０３・・・・・各面が八角形のカード等収納具
９９・・・・・カード
Ａ・・・・・各面をカード等取出面１Ａの側からみた場合
Ｂ・・・・・各面をカード等取出面１Ａの対向面からみた場合（＝背面）
１Ａ・・・・・カード等取出し面、２Ｂ・・・・・対向面
１１・・・・・カード等収納面、１２・・・・・拡大収納面、１３・・・・・カード等保持面、１４・・・・・拡大保持面、２１・・・・・折返面、２２・・・・・拡大折返面、２３・・・・・対向保持面、３・・・・・突出面、３１・・・・・収納部、３２・・・・・折返部
【図１】
0003184533.tif 000003
【図２】
0003184533.tif 000004
【図３】
0003184533.tif 000005
【図４】
0003184533.tif 000006
【図５】
0003184533.tif 000007
【図６】
0003184533.tif 000008
【図７】
0003184533.tif 000009
【図８】
0003184533.tif 000010
【図９】
0003184533.tif 000011
【図１０】
0003184533.tif 000012
【図１１】
0003184533.tif 000013
【図１２】
0003184533.tif 000014
【図１３】
0003184533.tif 000015
【図１４】
0003184533.tif 000016